(57)【要約】      （修正有）【課題】キャラクターがおしゃべりしながらそのキャラクターの所定の部分がＬＥＤライトで光るマスコットを提供する。【解決手段】マスコット１は、キャラクターの形状を有するマスコット本体１０と、マスコット本体１０に埋設されたモジュール２０と、を備え、モジュール２０が、キャラクターの所定の部分に配設されたＬＥＤライト２１と、キャラクターの音声を再生するスピーカ２２と、ＬＥＤライト及びスピーカに接続された回路基板２３と、音声の再生と同時にＬＥＤライトの点灯を開始するための再生点灯スイッチ２４と、を有する。【選択図】図３
0003205838.tif 000002
【実用新案登録請求の範囲】
【請求項１】
キャラクターの形状を有するマスコット本体と、
前記マスコット本体に埋設されたモジュールと、を備え、
前記モジュールが、前記キャラクターの所定の部分に配設されたＬＥＤライトと、前記キャラクターの音声を再生するスピーカと、前記ＬＥＤライト及び前記スピーカに接続された回路基板と、前記音声の再生と同時に前記ＬＥＤライトの点灯を開始するための再生点灯スイッチと、を有することを特徴とするマスコット。
【請求項２】
前記キャラクターの所定の部分が前記キャラクターに特徴的な特徴部分であり、前記特徴部分がリボン、帽子、又は手である、請求項１に記載のマスコット。
【請求項３】
前記再生点灯スイッチが前記マスコット本体の底部から外側へ突出した押しボタンである、請求項１に記載のマスコット。
【考案の詳細な説明】
【技術分野】
【０００１】
本考案は、キャラクターの形状を有するマスコットに関する。
【背景技術】
【０００２】
従来、タッチ場所に応じて動物の鳴き声を発して、飽きないようにしたぬいぐるみ玩具が、例えば特許文献１に開示されている。
【先行技術文献】
【特許文献】
【０００３】
【特許文献１】特開２０１５−２３９８９号公報
【考案の概要】
【考案が解決しようとする課題】
【０００４】
しかしながら、キャラクターの音声が流れると同時にそのキャラクターの所定の部分がＬＥＤライトで光るマスコットは見当たらなかった。
【課題を解決するための手段】
【０００５】
本考案の第１の態様は、キャラクターの形状を有するマスコット本体と、マスコット本体に埋設されたモジュールと、を備え、モジュールが、キャラクターの所定の部分に配設されたＬＥＤライトと、キャラクターの音声を再生するスピーカと、ＬＥＤライト及びスピーカに接続された回路基板と、音声の再生と同時にＬＥＤライトの点灯を開始するための再生点灯スイッチと、を有する、マスコットを提供する。
本考案の第２の態様は、第１の態様において、キャラクターの所定の部分がキャラクターに特徴的な特徴部分であり、前記特徴部分がリボン、帽子、又は手である、マスコットを提供する。
本考案の第３の態様は、第１の態様において、再生点灯スイッチがマスコット本体の底部から外側へ突出した押しボタンである、マスコットを提供する。
【考案の効果】
【０００６】
本考案に係るマスコットによれば、キャラクターの音声が流れると同時にそのキャラクターの所定の部分がＬＥＤライトで光るマスコットを提供できる。
【図面の簡単な説明】
【０００７】
【図１】本考案の一実施形態におけるマスコットの斜視図であって、キャラクターの特徴部分を示す図である。
【図２】本考案の一実施形態におけるマスコットの底面図である。
【図３】本考案の一実施形態におけるマスコットの図２のIII−III線に沿った断面図である。
【図４】本考案の別の実施形態におけるマスコットの斜視図であり、キャラクターの特徴部分を示す図である。
【図５】本考案の更に別の実施形態におけるマスコットの斜視図であり、キャラクターの特徴部分を示す図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１は、本実施形態におけるマスコットの斜視図であって、キャラクターの特徴部分を示す図であり、図２は、本実施形態におけるマスコットの底面図であり、図３は、本実施形態におけるマスコットの図２のIII−III線に沿った断面図である。マスコット１は、マスコット本体１０と、モジュール２０と、を有する。なお、マスコット１は、スマートフォン等に繋ぐためにボールチェーン３０を更に有してもよい。
【００１０】
マスコット本体１０は、限定されないものの、ニット等の毛糸体で構成されていて、特定のキャラクター、例えば図１に示すような猫を模した形状を有する。図２に示すように、マスコット本体１０は、胴体１１と、二本の前脚１２ａ及び１２ｂと、二本の後脚１３ａ及び１３ｂと、を有しており、前脚１２ａ、１２ｂ及び後脚１３ａ、１３ｂが胴体１１に縫付けられている。
【００１１】
図３に示すように、モジュール２０は、マスコット本体１０の胴部１１に埋設されている。モジュール２０は、ＬＥＤライト２１と、スピーカ２２と、回路基板２３と、再生点灯スイッチ２４と、ボタン電池２５と、ＬＥＤライト以外を収容するハウジング２６と、主電源スイッチ２７（図２参照）と、を有する。
【００１２】
ＬＥＤライト２１は、キャラクターの所定の部分、より好ましくはキャラクターに特徴的な特徴部分に配設されている。本実施形態では、キャラクターの特徴部分が胴部１１に縫付けられたリボン１４であり、ＬＥＤライト２１はリボン１４の結び目にあたる位置に配置される。
【００１３】
図３に示すように、スピーカ２２は、ハウジング２６内において、ハウジング２６の天面側２６ａに設けられている。そして、ハウジング２６の天面には、図示しないが複数の音穴が形成されていて、複数の音穴を通してスピーカ２２からキャラクターの音声を再生する。ＬＥＤライト２１及びスピーカ２２は、回路基板２３に接続される。
【００１４】
回路基板２３は、図示しないものの、マイクロコンピュータを有する。マイクロコンピュータは、キャラクターの音声を複数記憶する記憶部と、記憶されたキャラクターの音声をスピーカ２２にランダム再生させると同時にＬＥＤライト２１を点灯させるように構成された制御部と、を有する。
【００１５】
再生点灯スイッチ２４は、キャラクターの音声を再生させると同時にＬＥＤライトの点灯を開始する押しボタンである。再生点灯スイッチ２４は、ハウジング２６の底面から外側に突出するように配設されていて、ユーザの指により直接押されるか又は床にマスコット１が置かれた状態で、マスコット本体１０の胴部１１を背中から押圧することにより押される。
【００１６】
ボタン電池２５は、ハウジング２６内において、ハウジング２６の底部側２６ｄに設けられていて、電池蓋２９で覆われている。電池蓋２９は、ねじ２９ａによりハウジング２６に固定されている。そして、ユーザが電池蓋２９のねじ２９ａを取外すことにより、電池交換を容易に行うことができる。
【００１７】
ハウジング２６は、マスコット本体１０の底面部を構成していて、外部から視認可能になっている。ハウジング２６は、フランジ２６ｂ及び２６ｃを有しており、ハウジング２６がマスコット本体１０から飛び出ないように、フランジ２６ｂとフランジ２６ｃとの間にマスコット本体１０がボンド等の接着剤で取付けられる。
【００１８】
主電源スイッチ２７は、ハウジング２６の底面に設けられている。主電源スイッチ２７を切ることにより、回路基板２３に電流が流れないようになっている。主電源スイッチ２７を設けることにより、マスコット１を使用しないときに意図せず再生点灯スイッチ２４が押されてボタン電池２５を消費しないようにしている。
【００１９】
図４は、別の実施形態におけるマスコットの斜視図であり、キャラクターの特徴部分を示す図である。マスコット２は、犬を模したキャラクターの形状を有しており、マスコット本体１０が、キャラクターの特徴部分としてベレー帽１５を有している。ＬＥＤライト２１は、ベレー帽１５の頂部に設けられるポッチを構成するように位置付けられる。
【００２０】
図５は、更に別の実施形態におけるマスコットの斜視図であり、キャラクターの特徴部分を示す図である。マスコット３は、卵の黄身を模したキャラクターの形状を有しており、マスコット本体１０が、キャラクターの特徴部分として手１２ｂを有している。キャラクターが手１２ｂでＬＥＤライト２１を持っているかのように、ＬＥＤライト２１が手１２ｂと頬１１ａとの間に位置付けられる。なお、マスコット３は台座４０を更に有する。
【００２１】
ここで、本考案の作用効果について説明する。本考案に係るマスコットによれば、キャラクターの音声が流れると同時にキャラクターの特徴部分に設けたＬＥＤライト２１が光るため、キャラクターがおしゃべりしながらそのキャラクターに似合った部分がＬＥＤライトで光るマスコットを提供できる。
【００２２】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００２３】
１    マスコット
１０    マスコット本体
２０    モジュール
２１    ＬＥＤライト
２２    スピーカ
２３    回路基板
２４    再生点灯スイッチ
【図１】
0003205838.tif 000003
【図２】
0003205838.tif 000004
【図３】
0003205838.tif 000005
【図４】
0003205838.tif 000006
【図５】
0003205838.tif 000007